(57)【要約】【課題】外筒リングを用いずに分割コアを一体化することで鉄損の抑制を図り、ひいては、モータ効率の向上を可能にしたステータコアを提供する。【解決手段】円環状に配置する複数の分割コア４・４・・・によって、円環状のヨーク２と、該ヨーク２の内周面から半径方向内側に突出する複数のティース３・３・・・とを構成し、分割コア４におけるヨーク２を構成する部位である円弧部４ａの周方向における側面には、該分割コア４の高さ方向において凸部４ｃと凹部４ｄが交互に形成されており、周方向において隣接する前記分割コア４・４同士の凸部４ｃと凹部４ｄが互いに嵌め合いされることによってヨーク２が構成されるものであって、ヨーク２を半径方向内側に押圧しつつ、該ヨーク２に通電をし、複数の分割コア４・４・・・を拡散接合することによって一体的に構成される。【選択図】図４
2015065741.tif 000002
【特許請求の範囲】
【請求項１】
円環状に配置する複数の分割コアによって、
円環状のヨークと、該ヨークの内周面から半径方向内側に突出する複数のティースとを構成し、
前記分割コアにおける前記ヨークを構成する部位である円弧部の周方向における側面には、該分割コアの高さ方向において凸部と凹部が交互に形成されており、
周方向において隣接する前記分割コア同士の前記凸部と前記凹部が互いに嵌め合いされることによって前記ヨークが構成されるステータコアであって、
前記ヨークを半径方向内側に押圧しつつ、該ヨークに通電をし、前記複数の分割コアを拡散接合することによって一体的に構成される、
ことを特徴とするステータコア。
【発明の詳細な説明】
【技術分野】
【０００１】
本発明は、ステータコアの技術に関し、より詳しくは、分割コアを用いて構成されるステータコアに関する。
【背景技術】
【０００２】
モータのステータを構成し磁束通路を形成するステータコアは、該ステータコアにおいて渦電流が生じて発熱すると、エネルギー損失（鉄損）が生じることが知られており、この鉄損をいかにして低減するかということが、モータ効率の改善を図る上で重要な課題となっている。
【０００３】
従来、所定個数の分割コアを円環状に整列させる構成とした分割構造を有するステータコアが知られており、例えば、以下に示す特許文献１にその技術が開示され公知となっている。分割コアからなる（即ち、分割構造を有する）ステータコアは、モータの小型化を可能にするという大きな利点を有している。
【０００４】
また、ステータコアにおける鉄損の低減を図るためには、電磁鋼板を積層してステータコアを形成するのが有効であることが一般的に知られており、特許文献１に示されたステータコアでは、電磁鋼板片（コアプレート）を複数枚積層してステータコアを形成する構成としている。
【先行技術文献】
【特許文献】
【０００５】
【特許文献１】特開２００９−９５１８９号公報
【発明の概要】
【発明が解決しようとする課題】
【０００６】
特許文献１に示されているステータコアは、分割コアの周囲に外筒リングを嵌めることで、各分割コアを拘束して、円環状にする構成としている。
そして、斯かる分割構造を有する従来のステータコアでは、従来の一体構造のステータコアに比して、鉄損が大きくなっていた。
鉄損が大きくなる要因としては、
１）外筒リングの締付により、ステータコアに圧縮応力が作用していること、
２）外筒リングを介して、コアプレート間の短絡が生じていること、
３）隣接する分割コアの突き合わせ部において、磁路分断による磁気抵抗の増加が生じること、
４）コアプレートの配置のバラツキにより、異なるコアプレートに磁路が分散されること、等が考えられる。
【０００７】
即ち、分割構造を有する従来のステータコアでは、鉄損を抑制することで、さらにモータ効率を向上させる余地が残されていた。
そこで、分割コアの利点を活かしながら、鉄損の抑制を実現し、モータ効率の向上を可能にするステータコアの開発が望まれていた。
【０００８】
本発明は、斯かる現状の課題を鑑みてなされたものであり、外筒リングを用いずに分割コアを一体化することで鉄損の抑制を図り、ひいては、モータ効率の向上を可能にしたステータコアを提供することを目的としている。
【課題を解決するための手段】
【０００９】
本発明の解決しようとする課題は以上の如くであり、次にこの課題を解決するための手段を説明する。
【００１０】
即ち、請求項１においては、円環状に配置する複数の分割コアによって、円環状のヨークと、該ヨークの内周面から半径方向内側に突出する複数のティースとを構成し、前記分割コアにおける前記ヨークを構成する部位である円弧部の周方向における側面には、該分割コアの高さ方向において凸部と凹部が交互に形成されており、周方向において隣接する前記分割コア同士の前記凸部と前記凹部が互いに嵌め合いされることによって前記ヨークが構成されるステータコアであって、前記ヨークを半径方向内側に押圧しつつ、該ヨークに通電をし、前記複数の分割コアを拡散接合することによって一体的に構成されるものである。
【発明の効果】
【００１１】
本発明の効果として、以下に示すような効果を奏する。
【００１２】
請求項１においては、外筒リングを用いることなく、複数の分割コアからなるステータコアを構成することができる。これにより、鉄損を低減することができる。
【図面の簡単な説明】
【００１３】
【図１】本発明の一実施形態に係るステータコアを示す模式図、（ａ）平面模式図、（ｂ）側面模式図。
【図２】本発明の一実施形態に係るステータコアを構成する分割コアを示す模式図、（ａ）平面模式図、（ｂ）側面模式図。
【図３】本発明の一実施形態に係るステータコアにおける分割コアの嵌め合わせ状況を示す模式図、（ａ）部分平面模式図、（ｂ）部分側面模式図。
【図４】分割コアの拡散接合状況を示す模式図。
【発明を実施するための形態】
【００１４】
次に、発明の実施の形態を説明する。
まず始めに、本発明の一実施形態に係るステータコアの全体構成について、図１および図２を用いて説明をする。
ステータコアは、モータにおけるステータを構成する部材であり、図１（ａ）に示す如く、本発明の一実施形態に係るステータコア１は、円環状の部位であるヨーク２と、該ヨーク２から半径方向内側に向けて突出する部位である複数のティース３・３・・・を備えている。
また、ステータコア１は、図１（ａ）（ｂ）に示すように、複数の分割コア４・４・・・を円環状に複数配置することで構成されている。
尚、図１（ａ）（ｂ）では、理解を容易にするため、着色した分割コア４と無着色の分割コア４を交互に配置して、どの範囲が一つの分割コア４であるのかを示している。
【００１５】
従来のステータコアでは、複数の分割コアを円環状に保持するために外筒リングを必要としていたが、本発明に係るステータコア１では、外筒リングを必要としない点に特徴を有している。
【００１６】
図２（ａ）（ｂ）に示す如く、ステータコア１を構成する分割コア４は、複数（本実施形態では３枚）のコアプレート５・５・５を、板厚方向に積層し、かしめることで一体的に構成される部材である。そして分割コア４は、ステータコア１におけるヨーク２を構成する略円弧状の部位である円弧部４ａと、ステータコア１におけるティース３を構成する凸状の歯部４ｂ・４ｂ・４ｂと、を備えている。
また分割コア４は、図２（ａ）（ｂ）に示すように、厚さ方向における中央のコアプレート５に対して、該コアプレート５の厚さ方向における両面に接する各コアプレート５・５の配置をずらすことで、円弧部４ａの周方向における両端部に凸部４ｃと凹部４ｄをそれぞれ形成する構成としている。
尚、本実施形態の分割コア４は、コアプレート５・５・５の積層数を３層としているが、さらに多数のコアプレート５・５・・・を積層する構成とすることもできる。この場合、積層方向に隣接するコアプレート５・５同士の周方向位置を互いにずらして配置し、全体としては、積層された複数のコアプレート５・５・・・の周方向における配置位置を千鳥状にずらした構成とすることができる。
【００１７】
そして、図３（ａ）（ｂ）に示すように、複数の分割コア４・４・・・を円環状に配置するとともに、隣り合う分割コア４・４同士の凸部４ｃと凹部４ｄを嵌め合わせることで、略円環状のステータコア１（図１（ａ）（ｂ）参照）が構成される。
ステータコア１では、隣接する分割コア４・４同士の凸部４ｃと凹部４ｄを突き合わせた状態となっており、かつ、凸部４ｃと凹部４ｄを嵌め合わせた部位では、各コアプレート５・５の表面と裏面が接した状態となっている。
【００１８】
次に、本発明の一実施形態に係るステータコアの作成方法について、図４を用いて説明をする。
本発明の一実施形態に係るステータコア１は、複数の分割コア４・４・・・を一体化することにより構成される。
図４に示す如く、ステータコア１は、該ステータコア１を構成する各分割コア４・４・・・を円環状に配置するとともに、この状態で各分割コア４・４・・・をステータコア１の半径方向における内側に向けて押圧しておく。
このとき、例えば径方向に伸縮可能なリング状の治具等を用いて、各分割コア４・４・・・を均等に押圧することが好ましい。
【００１９】
そして次に、各分割コア４・４・・・を押圧した状態で、円環状のヨーク２を構成する各分割コア４・４・・・に対する通電を行う。通電に際しては、ヨーク２における最も離間した２点を選び、各部に均等な電流が流れるようにして電源回路を接続する。
【００２０】
また、各分割コア４・４・・・に対する通電条件は、例えば、１０００〜３０００Ａの大電流を６０ｓｅｃの間通電すればよく、これにより、隣接する各分割コア４・４同士が接触する部位でジュール熱が生じ、各分割コア４・４・・・が加熱される。
【００２１】
そしてこのように、各分割コア４・４・・・のを加熱しながら押圧する状態を保持することで、各分割コア４・４同士を拡散接合する構成としている。
尚「拡散接合」とは、母材同士を密着させつつ、母材の融点以下の温度条件で、塑性変形を生じない程度に加圧して、接合面間に生じる原子の拡散を利用して接合する方法である。
【００２２】
このような構成により、従来は必要であった外筒リングを用いる必要がなくなり、外筒リング無しで複数の分割コア４・４・・・を円環状の形状に保持して一体化することができる。
【００２３】
即ち、本発明の一実施形態に係るステータコア１は、円環状に配置する複数の分割コア４・４・・・によって、円環状のヨーク２と、該ヨーク２の内周面から半径方向内側に突出する複数のティース３・３・・・とを構成し、分割コア４におけるヨーク２を構成する部位である円弧部４ａの周方向における側面には、該分割コア４の高さ方向において凸部４ｃと凹部４ｄが交互に形成されており、周方向において隣接する前記分割コア４・４同士の凸部４ｃと凹部４ｄが互いに嵌め合いされることによってヨーク２が構成されるものであって、ヨーク２を半径方向内側に押圧しつつ、該ヨーク２に通電をし、複数の分割コア４・４・・・を拡散接合することによって一体的に構成されるものである。
【００２４】
このように構成されるステータコア１では、外筒リングを用いずに、複数の分割コア４・４・・・からステータコア１を構成することができるため、外筒リングを介して各コアプレートが短絡することが防止できる。
また、各分割コア４・４・・・同士が拡散接合により堅固に固着されるため、隣接する分割コア４・４においてコアプレート５・５同士の突き合わせ部が振動等によりズレることがなく、また各コアプレート５・５の配置のバラツキも抑制できるため、磁路の分断や拡散が確実に防止される。
そして、本発明の一実施形態に係るステータコア１を用いれば、鉄損を低減することができ、モータ効率の向上を図ることができる。
【符号の説明】
【００２５】
１    ステータコア
２    ヨーク
３    ティース
４    分割コア
４ａ  円弧部
４ｂ  歯部
４ｃ  凸部
４ｄ  凹部
【図１】
2015065741.tif 000003
【図２】
2015065741.tif 000004
【図３】
2015065741.tif 000005
【図４】
2015065741.tif 000006